【手続補正書】
【提出日】平成26年3月17日(2014.3.17)
【手続補正１】
【補正対象書類名】特許請求の範囲
【補正対象項目名】全文
【補正方法】変更
【補正の内容】
【特許請求の範囲】
【請求項１】
複数の焦点検出領域と複数の測光領域とを有する撮像装置であって、
各焦点検出領域におけるデフォーカス量を取得するデフォーカス量取得手段と、
各測光領域の測光値を取得する測光手段と、
前記測光手段により取得された測光値に対して、前記デフォーカス量取得手段により取得されたデフォーカス量に基づく重み付けをして第１の測光値を演算する第１の演算手段と、
前記測光手段により取得された測光値に対して、前記デフォーカス量取得手段により取得されたデフォーカス量に基づく重み付けをせずに第２の測光値を演算する第２の演算手段と、
前記第１の測光値と前記第２の測光値とを重み付け演算した結果に基づいて露出値を演算する露出演算手段と、
前記デフォーカス量取得手段により取得されたデフォーカス量に基づいて、前記露出演算手段による重み付け演算において前記第１の測光値の重み付けが小さくなるように重み付け係数を決定する決定手段と、を有することを特徴とする撮像装置。
【請求項２】
前記決定手段は、前記複数の焦点検出領域をそれぞれのデフォーカス量の絶対値の大きさに基づいて複数のグループに分け、含まれる焦点検出領域の数が最も多いグループに対応するデフォーカス量の絶対値が小さいほど、前記露出演算手段による重み付け演算において前記第１の測光値の重み付けが小さくなるように前記重み付け係数を決定することを特徴とする請求項１に記載の撮像装置。
【請求項３】
前記決定手段は、前記デフォーカス量取得手段により取得されたデフォーカス量の絶対値の最大値が小さいほど、前記露出演算手段による重み付け演算において前記第１の測光値の重み付けが小さくなるように前記重み付け係数を決定することを特徴とする請求項１に記載の撮像装置。
【請求項４】
前記決定手段は、前記デフォーカス量取得手段により取得されたデフォーカス量の絶対値の大きいほうから所定個の平均値が小さいほど、前記露出演算手段による重み付け演算において前記第１の測光値の重み付けが小さくなるように前記重み付け係数を決定することを特徴とする請求項１に記載の撮像装置。
【請求項５】
前記決定手段は、前記デフォーカス量取得手段により取得されたデフォーカス量のうち絶対値が所定値以上のものを前記重み付け係数の決定に用いないことを特徴とする請求項１ないし４のいずれか１項に記載の撮像装置。
【請求項６】
前記撮像装置の焦点距離に関する情報を取得する情報取得手段を有し、
前記決定手段は、前記デフォーカス量取得手段により取得されたデフォーカス量の絶対値が同じ場合、前記情報取得手段により取得された情報に基づく前記焦点距離が短いほど、前記露出演算手段による重み付け演算において前記第１の測光値の重み付けが小さくなるように前記重み付け係数を決定することを特徴とする請求項１ないし５のいずれか１項に記載の撮像装置。
【請求項７】
前記第１の演算手段は、前記測光手段により取得された、前記複数の測光領域のうち前記複数の焦点検出領域のいずれかに対応する位置に配置された領域のそれぞれの測光値に対して、前記デフォーカス量取得手段により取得されたデフォーカス量に基づく重み付けをして前記第１の測光値を演算することを特徴とする請求項１ないし６のいずれか１項に記載の撮像装置。
【請求項８】
前記第２の演算手段は、前記測光手段により取得された、前記複数の焦点検出領域のいずれかに対応する位置に配置されていない領域を含む複数の測光領域の測光値を平均することで前記第２の測光値を演算することを特徴とする請求項１ないし７のいずれか１項に記載の撮像装置。
【請求項９】
複数の焦点検出領域と複数の測光領域とを有する撮像装置であって、
各焦点検出領域における焦点検出情報を取得する焦点検出情報取得手段と、
各測光領域の測光値を取得する測光手段と、
前記測光値に対して、前記焦点検出情報に基づく重み付けをして第１の測光値を演算する第１の演算手段と、
前記測光値に対して、前記焦点検出情報に基づく重み付けをせずに第２の測光値を演算する第２の演算手段と、
前記第１の測光値と前記第２の測光値に基づいて露出値を演算する露出演算手段と、
前記焦点検出情報に基づいて、前記露出値の演算に用いる第１の測光値と第２の測光値の比率を決定する決定手段と、を有することを特徴とする撮像装置。
【請求項１０】
前記決定手段は、前記焦点検出情報の変化に応じて、前記露出値の演算に用いる前記第１の測光値と前記第２の測光値の比率を変更することを特徴とする請求項９に記載の撮像装置。
【請求項１１】
複数の焦点検出領域と複数の測光領域とを有する撮像装置であって、
各焦点検出領域における焦点検出情報を取得する焦点検出情報取得手段と、
各測光領域の測光値を取得する測光手段と、
前記測光値に対して、前記焦点検出情報に基づく重み付けをして露出値を演算する露出演算手段と、を有し、
前記露出演算手段は、前記焦点検出情報に基づいて主被写体の測光値の重み付け係数を変更することを特徴とする撮像装置。
【請求項１２】
前記主被写体は、合焦している被写体であることを特徴とする請求項１１に記載の撮像装置。
【請求項１３】
露出演算手段は、前記主被写体に対応しない焦点検出領域の焦点検出情報に基づいて、前記重み付け係数を変更することを特徴とする請求項１１または１２に記載の撮像装置。
【請求項１４】
前記焦点検出情報は、デフォーカス量を示す情報であることを特徴とする請求項９ないし１３のいずれか１項に記載の撮像装置。
【請求項１５】
複数の焦点検出領域と複数の測光領域とを有する撮像装置であって、
各焦点検出領域におけるデフォーカス量を取得するデフォーカス量取得手段と、
各測光領域の測光値を取得する測光手段と、
各測光領域に対する重み付け係数を決定する決定手段と、を有し
前記決定手段は、
第１のデフォーカス量が得られた焦点検出領域に対応する第１の測光領域に対する重み付け係数よりも前記第１のデフォーカス量の絶対値よりも絶対値の大きい第２のデフォーカス量が得られた焦点検出領域に対応する第２の測光領域に対応する重み付け係数を相対的に小さくし、
前記デフォーカス量取得手段により取得された、前記第１の測光領域及び前記第２の測光領域に対応していない焦点検出領域のデフォーカス量を含む複数のデフォーカス量に基づいて、前記第１の測光領域に対する重み付け係数と前記第２の測光領域の対する重み付け係数との差を変更することを特徴とする撮像装置。
【請求項１６】
複数の焦点検出領域と複数の測光領域とを有する撮像装置の制御方法であって、
各焦点検出領域におけるデフォーカス量を取得するデフォーカス量取得ステップと、
各測光領域の測光値を取得する測光ステップと、
前記測光ステップで取得された測光値に対して、前記デフォーカス量取得ステップで取得されたデフォーカス量に基づく重み付けをして第１の測光値を演算する第１の演算ステップと、
前記測光ステップで取得された測光値に対して、前記デフォーカス量取得ステップで取得されたデフォーカス量に基づく重み付けをせずに第２の測光値を演算する第２の演算ステップと、
前記第１の測光値と前記第２の測光値とを重み付け演算した結果に基づいて露出値を演算する露出演算ステップと、
前記デフォーカス量取得ステップで取得されたデフォーカス量に基づいて、前記露出演算ステップでの重み付け演算において前記第１の測光値の重み付けが小さくなるように重み付け係数を決定する決定ステップと、を有することを特徴とする撮像装置の制御方法。
【請求項１７】
複数の焦点検出領域と複数の測光領域とを有する撮像装置の制御方法であって、
各焦点検出領域における焦点検出情報を取得する焦点検出情報取得ステップと、
各測光領域の測光値を取得する測光ステップと、
前記測光値に対して、前記焦点検出情報に基づく重み付けをして第１の測光値を演算する第１の演算ステップと、
前記測光値に対して、前記焦点検出情報に基づく重み付けをせずに第２の測光値を演算する第２の演算ステップと、
前記第１の測光値と前記第２の測光値に基づいて露出値を演算する露出演算ステップと、
前記焦点検出情報に基づいて、前記露出値の演算に用いる第１の測光値と第２の測光値の比率を決定する決定ステップと、を有することを特徴とする撮像装置の制御方法。
【請求項１８】
複数の焦点検出領域と複数の測光領域とを有する撮像装置の制御方法であって、
各焦点検出領域におけるデフォーカス量を取得するデフォーカス量取得ステップと、
各測光領域の測光値を取得する測光ステップと、
各測光領域に対する重み付け係数を決定する決定ステップと、を有し、
前記決定ステップにて、
第１のデフォーカス量が得られた焦点検出領域に対応する第１の測光領域に対する重み付け係数よりも前記第１のデフォーカス量の絶対値よりも絶対値の大きい第２のデフォーカス量が得られた焦点検出領域に対応する第２の測光領域に対応する重み付け係数を相対的に小さくし、
前記デフォーカス量取得ステップで取得された、前記第１の測光領域及び前記第２の測光領域に対応していない焦点検出領域のデフォーカス量を含む複数のデフォーカス量に基づいて、前記第１の測光領域に対する重み付け係数と前記第２の測光領域の対する重み付け係数との差を変更することを特徴とする撮像装置の制御方法。
【手続補正２】
【補正対象書類名】明細書
【補正対象項目名】０００１
【補正方法】変更
【補正の内容】
【０００１】
本発明は、複数の焦点検出領域を備え、各焦点検出領域の焦点検出情報を用いて露出制御を行う撮像装置に関する。
【手続補正３】
【補正対象書類名】明細書
【補正対象項目名】０００６
【補正方法】変更
【補正の内容】
【０００６】
そこで、本発明は、複数の焦点検出領域の焦点検出情報を用いて好適な露出制御を行うことができるようにすることを目的とする。
【手続補正４】
【補正対象書類名】明細書
【補正対象項目名】０００７
【補正方法】変更
【補正の内容】
【０００７】
上記目的を達成するために、本発明にかかる撮像装置は、複数の焦点検出領域と複数の測光領域とを有する撮像装置であって、各焦点検出領域におけるデフォーカス量を取得するデフォーカス量取得手段と、各測光領域の測光値を取得する測光手段と、前記測光手段により取得された測光値に対して、前記デフォーカス量取得手段により取得されたデフォーカス量に基づく重み付けをして第１の測光値を演算する第１の演算手段と、前記測光手段により取得された測光値に対して、前記デフォーカス量取得手段により取得されたデフォーカス量に基づく重み付けをせずに第２の測光値を演算する第２の演算手段と、前記第１の測光値と前記第２の測光値とを重み付け演算した結果に基づいて露出値を演算する露出演算手段と、前記デフォーカス量取得手段により取得されたデフォーカス量に基づいて、前記露出演算手段による重み付け演算において前記第１の測光値の重み付けが小さくなるように重み付け係数を決定する決定手段と、を有することを特徴とする。